(57)【特許請求の範囲】
【請求項１】
外障子と内障子を備え、外障子と内障子は断熱障子であり、内障子の召合せ框は、金属製形材よりなり、ガラス保持溝に複層ガラスを保持してあるとともに、室外側面に樹脂部材が取付けてあり、樹脂部材は、外障子の召合せ框の煙返しを呑み込む呑み込み部を有し、内障子の召合せ框のガラス保持溝の室外側壁に取付けてあり、ガラス保持溝の室外側壁の先端部を形成していると共に、外障子の召合せ框の室内側面にのみ対向していることを特徴とする開口部建材。
【発明の詳細な説明】
【技術分野】
【０００１】
本発明は、複層ガラスを用いる開口部建材に関する。
【背景技術】
【０００２】
引違い窓等の召合せ框において、図９に示すように、室外側形材９０と室内側形材９１を樹脂製の連結材９２で連結して断熱性を向上させたものがあった。この構造では、連結材９２の設置スペースが必要となり、召合せ框９３の見付け寸法Ａを小さく抑えることが難しかった。
【発明の概要】
【発明が解決しようとする課題】
【０００３】
本発明は以上に述べた実情に鑑み、召合せ框を細くでき且つ断熱性の良い開口部建材の提供を目的とする。
【課題を解決するための手段】
【０００４】
上記の課題を達成するために請求項１記載の発明による開口部建材は、外障子と内障子を備え、外障子と内障子は断熱障子であり、内障子の召合せ框は、金属製形材よりなり、ガラス保持溝に複層ガラスを保持してあるとともに、室外側面に樹脂部材が取付けてあり、樹脂部材は、外障子の召合せ框の煙返しを呑み込む呑み込み部を有し、内障子の召合せ框のガラス保持溝の室外側壁に取付けてあり、ガラス保持溝の室外側壁の先端部を形成していると共に、外障子の召合せ框の室内側面にのみ対向していることを特徴とする。
【発明の効果】
【０００５】
請求項１記載の発明による開口部建材は、内障子の召合せ框が金属製形材であるにもかかわらず、室外側形材と室内側形材を連結材で連結するものではないので、連結材の設置スペースが不要なため、召合せ框の見付寸法を細くできる。しかも、内障子の召合せ框の室外側面に樹脂部材が取付けてあり、樹脂部材は外障子の召合せ框の煙返しを呑み込む呑み込み部を有することで、樹脂部材が召合せ部における室内外の伝熱を遮断するため、断熱性が良い。
【図面の簡単な説明】
【０００６】
【図１】本発明の開口部建材の一実施形態を示す縦断面図である。
【図２】同開口部建材の横断面図である。
【図３】同開口部建材の室外側正面図である。
【図４】内障子の組立て方を示す室外側正面図である。
【図５】（ａ）（ｂ）は内障子の組立て手順を示す縦断面図である。
【図６】（ａ）（ｂ）は内障子の組立て手順を示す横断面図である。
【図７】（ａ）は内障子戸先框の上端部に取付けられる端部キャップの平面図であり、（ｂ）は同端部キャップの側面図である。
【図８】（ａ），（ｂ）は内障子召合せ框部の横断面図であって、複層ガラスをガラス及び空気層の厚みが異なるものに交換する場合を示す。
【図９】従来の引違いサッシを示す横断面図である。
【発明を実施するための形態】
【０００７】
以下、本発明の実施の形態を図面に基づいて説明する。図１〜３は、本発明の開口部建材の一実施形態であって、住宅の窓開口部に設置されるサッシに適用した場合を示している。本サッシは、躯体開口部に取付けたサッシ枠２２と、サッシ枠２２内に収めた外障子２０及び内障子２１とを備え、外障子２０はサッシ枠２２に固定され、内障子２１は上枠２３と下枠２４に沿って摺動可能とした、いわゆる片引きサッシである。外障子２０と内障子２１は、周囲の框が金属部材と樹脂部材とを組み合わせることで室内外の伝熱を抑えたものになっており（各框の構成については後述する）、且つ框のガラス保持溝１５に複層ガラス７を保持させた断熱障子になっている。
【０００８】
サッシ枠２２は、図１，２に示すように、上枠２３と下枠２４と左右の竪枠２５，２５とを枠組みして構成してある。上枠２３と下枠２４と竪枠２５は、それぞれアルミニウム合金の押出形材よりなる室外側形材２６と室内側形材２７を樹脂製のブリッジ材２８で連結してあり、これによりサッシ枠２２は室内外の熱の伝わりを抑えた断熱枠になっている。さらに、上枠２３と下枠２４と竪枠２５の室内側の内周部には、樹脂製のアングル２９が設けてある。下枠２４は、図１に示すように、内障子２１が摺動する下枠上面が床面とほぼフラットになっている。
【０００９】
内障子２１は、図１，２に示すように、スペーサー９を挟んで２枚のガラス８ａ，８ｂを室内外方向に間隔をおいて保持した複層ガラス７を、上框１と下框２と戸先框３と召合せ框４とで四周框組みして構成してある。２枚のガラス８ａ，８ｂの間には、約１６ｍｍの空気層３０が形成されている。スペーサー９は、ステンレスの薄い板をロールフォーミングにより筒状に形成してあり、４本のスペーサー９を矩形に枠組みしてガラス８ａ，８ｂ間に配置し、ガラス８ａ，８ｂの内側面に一次シール３１で接着してある。スペーサー９の内部には乾燥剤が入れられ、スペーサー９の内周側面には多数の通気孔（図示省略）が形成してあり、これによりガラス８ａ，８ｂ間の空気層３０が乾燥した状態に保たれる。
２枚のガラス８ａ，８ｂのうち室外側のガラス８ａは、上下寸法、左右寸法ともに、室内側のガラス８ｂよりも大きくなっている。そのため室外側のガラス８ａは、上側、下側及び戸先側の縁部が室内側のガラス８ｂよりも外周側に張り出し、上框１、下框２及び戸先框３の見付面の室外側に重なっている（図３のハッチング部５９参照）。室外側のガラス８ａは、ガラス越しにスペーサー９やシール材３１，１０等が透けて見えるのを防ぐために、上側、下側及び戸先側の縁部の内側面（室内側面）に着色が施されている。
【００１０】
上框１と下框２は、図１に示すように、アルミニウム合金の押出形材よりなる室外側形材１２と室内側形材１３を樹脂製のブリッジ材１４で連結してあると共に、内周側に開口して形成されたガラス保持溝１５内の底部に、樹脂製の補助部材５を室外側形材１２と室内側形材１３に跨って取付けてある。ガラス保持溝１５は、上下寸法の異なる２枚のガラス８ａ，８ｂを保持するために、階段状に形成されている。補助部材５は、室外側形材１２と室内側形材１３とにそれぞれ係合する係合部３２と、内周側に向かって幅狭となった中空台形状の突部３３を有しており、突部３３はスペーサー９の外周側から離間し、且つガラス８ａ，８ｂ間の隙間に位置している。スペーサー９の外周側のガラス保持溝１５内の隙間には二次シール１０が充填してあり、この二次シール１０によりガラス８ａ，８ｂを上下框１，２及び補助部材５と接着し、上下框１，２と複層ガラス７を一体化している。
【００１１】
下框２は、ブリッジ材１４，１４に図示しない水抜き孔が設けてあり、補助部材５とブリッジ材１４との間の空間３４に浸入した水を、ブリッジ材１４に設けた水抜き孔より障子２１の外に排水できるようにしてある。これにより、複層ガラス７端部からの水の浸入を防ぎ、複層ガラス７の耐久性を向上できる。
【００１２】
戸先框３は、図２に示すように、アルミニウム合金の押出形材よりなる室外側形材１２及び室内側形材１３と、両形材１２，１３を繋ぐ樹脂製の連結材６とで構成してある。連結材６は、両形材１２，１３の間の隙間に配置される板状部３５に、室外側形材１２と室内側形材１３とにそれぞれ係合する係合部３６を有し、板状部３５の内周側に、内周側に向かって幅狭となった中空台形状の突部１１を有している。突部１１はスペーサー９の外周側から離間し、且つガラス８ａ，８ｂ間の隙間に位置している。スペーサー９の外周側のガラス保持溝１５内の隙間には二次シール１０が充填してあり、この二次シール１０によりガラス８ａ，８ｂを室外側・室内側形材１２，１３及び連結材６の突部１１と接着し、戸先框３と複層ガラス７を一体化している。
【００１３】
戸先框３の連結材６は、図２に示すように、室内側形材１３にネジ３７で固定され、室外側形材１２とは係合部３６で係合しているだけで、固定はされていない。また、戸先框３の上下端部には樹脂製の端部キャップ３８が取付けられるが、この端部キャップ３８は図７に示すように、室外側端部キャップ３８ａと室内側端部キャップ３８ｂとに分割して構成され、室外側端部キャップ３８ａが室外側形材１２に、室内側端部キャップ３８ｂが室内側形材１３にそれぞれ取付けられている。
戸先框３はこのような構成となっていることで、室外側形材１２と連結材６がお互い長手方向に移動自在に連結しているので、室内外の温度の違いによる室外側形材１２と室内側形材１３の熱伸びの違いを吸収することができ、これにより戸先框３の反りを抑え、障子２１の開閉操作に支障が出るのを防ぐことができる。
【００１４】
召合せ框４は、図２に示すように、アルミニウム合金の押出形材よりなり、内周側が開口したガラス保持溝１５が形成され、ガラス保持溝１５に複層ガラス７の側端部を呑み込ませてある。ガラス保持溝１５の底部には、補助部材３９が召合せ框４の長手方向に沿って取付けてある。補助部材３９は、ガラス保持溝１５の底部に形成したアリ溝に係合部４０を係合して取付けてあり、内周側に向かって幅狭となった中空台形状の突部４１を有しており、突部４１はスペーサー９の外周側から離間し、且つガラス８ａ，８ｂ間の隙間に挿入されている。スペーサー９の外周側のガラス保持溝１５内の隙間には二次シール１０が充填してあり、この二次シール１０によりガラス８ａ，８ｂを補助部材３９と接着し、召合せ框４と複層ガラス７を一体化している。
【００１５】
召合せ框４の室外側面には、樹脂部材１６が長手方向の全長にわたって取付けてある。樹脂部材１６は、召合せ框４のガラス保持溝１５の室外側壁４２に係合すると共に、側面を召合せ框４の外周側面より室外側に突出して形成した突片４３に当接させた上、室外側からのネジ４４で召合せ框４に固定してある。樹脂部材１６は、室外側面に外障子２０の召合せ框１７の煙返し１８を呑み込む呑み込み部１９が、障子内周側に開口した溝状に形成してある。
【００１６】
上下框１，２と戸先框３及び召合せ框４とは、図４に示すように、上下框１，２の長手方向端部を戸先框３及び召合せ框４のガラス保持溝１５内に呑み込ませ、上下框１，２の長手方向端面を戸先框３及び召合せ框４の見込み壁に当接し、側方から挿入したネジ４５を上下框１，２のタッピングホール４６に捩じ込むことで固定されている。上下框１，２の補助部材５は、上下框１，２のほぼ全長にわたって配置されており、戸先框３の連結材６の突部１１と召合せ框４の補助部材３９は、上下框１，２を接合するのに邪魔にならないように、戸先框３及び召合せ框４の全長よりも短くしてある。
【００１７】
次に、内障子２１の組立て方を説明する。まず、ガラス８ａ，８ｂ間にスペーサー９を一次シール３１で接着して配置する。その後、スペーサー９の外周側のガラス８ａ，８ｂ間に二次シール１０を塗布する（図５（ａ）、図６（ａ）参照）。その後、二次シール１０が固まらないうちに、図４と図５（ａ），図６（ａ）に示すように、ガラス８ａ，８ｂの周囲から上下框１，２と戸先框３及び召合せ框４を押し付ける。すると、図５（ｂ），図６（ｂ）に示すように、二次シール１０が各框１，２，３，４のガラス保持溝１５の底部に配置された台形状の突部１１，３３，４１に押されて突部１１，３３，４１の周囲に回り込み、ガラス８ａ，８ｂが上下框１，２及び召合せ框３の補助部材５，３９、戸先框３の連結材６の突部１１，３３，３４と二次シール１０で接着され、複層ガラス７が各框１，２，３，４と一体化される。その後、戸先框３及び召合せ框４の側方より挿入したネジ４５を上下框１，２のタッピングホール４６に捩じ込んで締付け、上下框１，２と戸先框３及び召合せ框４を固定する。
【００１８】
以上に述べたように本サッシの内障子２１は、スペーサー９の外周側に充填された二次シール１０により複層ガラス７を四周の框１，２，３，４と接着して一体化したことで、框１，２，３，４を細くすることができる（特に、框１，２，３，４の見付寸法を小さくすることができる。）。さらに内障子２１は、複層ガラス７の室外側のガラス８ａを室内側のガラス８ｂよりも大きくしたことで、室外側の框１，２，３の見付けが室内側よりもさらに細くなるので、シャープなフレームやガラスのフラット感や透明感を演出でき、意匠性を高めることができる。
【００１９】
内障子２１の戸先框３は、室外側形材１２と室内側形材１３と両形材を繋ぐ樹脂製の連結材６を備え、連結材６は内周側に突出する突部１１を有し、複層ガラス７は、スペーサー９の外周側に充填された二次シール１０により連結材６の突部１１と接着したことで、戸先框３と複層ガラス７とが二次シール１０で一体化され、これにより框を細くすることができるので、シャープなデザインやガラスの透明感を演出でき、意匠性を高めることができる。しかも戸先框３は、アルミ製の室外側形材１２と室内側形材１３との間に樹脂製の連結材６が介在しており、連結材６が両形材１２，１３間の熱の伝わりを遮断するので、断熱性が良い。
【００２０】
内障子２１の上下框１，２は、ガラス保持溝１５内に補助部材５を取付け、複層ガラス７は、スペーサー９の外周側に充填された二次シール１０により補助部材５と接着したことで、上下框１，２と複層ガラス７とが二次シール１０で一体化され、これにより框を細くすることができるので、シャープなデザインやガラスの透明感を演出でき、意匠性を高めることができる。しかも、上下框１，２が室外側形材１２と室内側形材１３を樹脂製のブリッジ材１４で連結してあると共に、樹脂製の補助部材５を室外側形材１２と室内側形材１３に跨って取付けてあるので、熱の伝わりを低減することができ、さらに断熱性が良い。
【００２１】
内障子２１の召合せ框４は、アルミニウム合金の押出形材で形成したので、断熱ブリッジ材を設置するスペースが不要となり、また金属製で強度が高いため、召合せ框４を細くできる。しかも、内障子２１の召合せ框４の室外側面に樹脂部材１６が取付けてあり、樹脂部材１６は外障子２０の召合せ框１７の煙返し１８を呑み込む呑み込み部１９を有することで、樹脂部材１６が召合せ部における室内外の伝熱を遮断するため、断熱性が良い。
【００２２】
さらに本サッシの内障子２１は、スペーサー９の外周側に充填された二次シール１０により、雨水が室内側に浸入するのを阻止できるので、水密性も優れている。また、二次シール１０がガラス８ａ，８ｂを補助部材５，３９や連結材６と接着すると共に、框１，２，３，４（特に下框２）とも接着していることで、水密性が一層向上している。さらに内障子２１は、グレチャンを介在させないことで、ガラス８ａ，８ｂの外側面と框１，２，３，４の見付け面との間の段差を小さくでき、障子２１の室外側面と室内側面がほぼフラットになり、ガラス８ａ，８ｂと框１，２，３，４との間にゴム質の部材が露出することもないため、框１，２，３，４を細くできることと相まって、意匠性を向上できる。さらに、グレチャンを介在させないことで、框１，２，３，４の見込み寸法を抑えつつガラス８ａ，８ｂ間の空気層３０の厚みを大きくすることができ、これにより断熱性能が向上する。
さらに内障子２１は、ガラス８ａ，８ｂ間のスペーサー９の外周側に二次シール１０を塗布し、各框１，２，３，４をガラス８ａ，８ｂの周囲から押し付けて接着することで、障子の組立が容易に行え、しかも二次シール１０を補助部材５，３９や連結材６の突部１１，３３，４１の周囲に回り込ませることで、接着力を高められる。補助部材５，３９や連結材６に台形状の突部１１，３３，４１を設けたことで、補助部材５，３９や連結材６の突部１１，３３，４１の周囲への二次シール１０の回り込みを促進し、接着力を高めることができる。各框１，２，３，４に補助部材５，３９及び連結材６を予め取付けることで、上下框１，２と戸先框３及び召合せ框４とをインロウ結合（上下框１，２の端部を戸先框３及び召合せ框４のガラス保持溝１５に呑み込ませて結合）することができる。また、障子２１の組立を複層ガラス７の製作と連続して行うことで、製作コストや輸送コストを削減できる。
【００２３】
図８（ａ），（ｂ）は、複層ガラス７をガラス８ａ，８ｂ及び空気層３０の厚みが異なるものに変更する場合の実施形態を示している。同図に示すように本サッシの障子２１は、ガラス８ａ，８ｂ及び空気層３０の厚みに合った補助部材５，３９を選択して框１，２，３，４に係合取付けすることで、共通の框１，２，３，４を用いながらガラス８ａ，８ｂ及び空気層３０の厚みの異なる複層ガラス７を嵌め込むことができる。
【００２４】
図１，２に示すように、外障子２０も内障子２１と同様に、複層ガラス４７を上框４８と下框４９と戸先框５０と召合せ框１７とで四周框組みして構成してある。複層ガラス４７の２枚のガラス５２ａ，５２ｂは、同じ大きさになっている。
上框４８と下框４９は、図１に示すように、アルミニウム合金製の室外側形材５３と樹脂製の室内側形材５４とを結合して構成してあり、室内側形材５４はガラス保持溝１５内の底部に中空台形状の突部５５を有し、スペーサー９の外周側に充填した二次シール１０によりガラス５２ａ，５２ｂを室内側形材５４と接着し、上下框４８，４９と複層ガラス４７とを一体化している。
戸先框５０と召合せ框１７は、図２に示すように、アルミニウム合金の押出形材で形成され、室内側壁を樹脂カバー５６で被って断熱してある。戸先框５０と召合せ框１７は、ガラス保持溝１５の底部に補助部材５７が係合取付けしてあり、補助部材５７は中空台形状の突部５８を有し、スペーサー９の外周側に充填した二次シール１０によりガラス５２ａ，５２ｂを補助部材５７と接着し、戸先框５０及び召合せ框１７を複層ガラス４７とを一体化している。
よって、外障子２０も内障子２１と同様に、框４８，４９，５０，１７を細くできる、水密性が良い、障子の組立が複層ガラスの製作と連続して行える等の効果がある。
【００２５】
本発明は以上に述べた実施形態に限定されない。実施形態は内障子のみが摺動する片引きサッシであったが、内外障子が何れも摺動する引違いサッシとすることもできる。内障子は、室外側と室内側のガラスの大きさが同じものとすることもできる。枠は、複層ガラスの周囲を枠組みするものであればよく、実施形態のような竪框と横框に限らず、竪枠、横枠、方立、無目等であってもよい。枠や補助部材、連結材の断面形状は、適宜変更することができる。補助部材は、ガラス保持溝の見付け壁に取付けることもできる。ガラスは、３枚以上とすることもできる。本発明の開口部建材は、建物の窓に限らず、電車等の乗り物の窓等に用いることもできる。
【符号の説明】
【００２６】
１  上框（枠）
２  下框（枠）
３  戸先框（枠）
４  召合せ框（枠）
５  補助部材
６  連結材
７  複層ガラス
８ａ，８ｂ  ガラス
９  スペーサー
１０  二次シール（シール材）
１１  連結材の突部
１２  室外側形材
１３  室内側形材
１４  ブリッジ材
１５  ガラス保持溝
１６  樹脂部材
１９  呑み込み部
【図１】
0006396763.tif 000002
【図２】
0006396763.tif 000003
【図３】
0006396763.tif 000004
【図４】
0006396763.tif 000005
【図５】
0006396763.tif 000006
【図６】
0006396763.tif 000007
【図７】
0006396763.tif 000008
【図８】
0006396763.tif 000009
【図９】
0006396763.tif 000010